(57)【要約】【課題】ラベル貼り付け対象物内における物品の配置を認識可能としたラベルプリンタを提供する。【解決手段】ラベルプリンタ１は、ラベルに印刷をする印刷ヘッド２０と、梱包箱に収容される複数種の物品の配置を特定する複数の配置情報、及び、各物品を特定する複数の物品識別情報が記憶される記憶部１０１と、記憶部１０１に記憶された識別情報及び物品識別情報を表示する表示部２５と、表示部２５に表示された識別情報及び物品識別情報の中から識別情報及び物品識別情報が選択される入力部２４と、入力部２４で選択された配置情報に物品識別情報を関連付けた物品配置情報を生成し、物品配置情報を印刷ヘッド２０でラベルに印刷する制御部１００とを備える。【選択図】図１
2020203434.tif 000002
【特許請求の範囲】
【請求項１】
ラベルに所定の情報を印刷可能な印刷部と、
複数のキーを有し、キー情報が入力される入力部と、
前記入力部により入力されたキー情報をもとに、前記ラベルに印刷すべき印刷情報を生成し、前記印刷情報を前記ラベルに印刷するように前記印刷部を制御する制御部と
を備え、
前記制御部は、前記キー情報をもとに、複数の枠で仕切られた配置情報を特定するとともに、ラベル貼り付け対象物に収容される複数種の物品のうち前記配置情報の各枠に配置される物品識別情報を特定し、前記配置情報の各枠に、対応する前記物品識別情報を関連付けた物品配置情報を前記印刷情報として生成する
ラベルプリンタ。
【請求項２】
ラベルに所定の情報を印刷可能な印刷部と、
記憶部と、
複数のキーを有し、キー情報が入力される入力部と、
前記入力部により入力されたキー情報をもとに、前記ラベルに印刷すべき印刷情報を生成し、前記印刷情報を前記ラベルに印刷するように前記印刷部を制御する制御部と
を備え、
前記記憶部には、複数の枠で仕切られた配置情報と、ラベル貼り付け対象物に収容される複数種の物品のうち前記配置情報の各枠に配置される物品識別情報が記憶され、
前記制御部は、前記キー情報をもとに、複数の枠で仕切られた配置情報を特定するとともに、ラベル貼り付け対象物に収容される複数種の物品のうち前記配置情報の各枠に配置される物品識別情報を特定し、前記配置情報の各枠に、対応する前記物品識別情報を関連付けた物品配置情報を前記印刷情報として生成する
ラベルプリンタ。
【請求項３】
前記制御部は、前記入力部で入力された各物品の個数を特定する個数情報を物品配置情報に関連づける
請求項１または請求項２に記載のラベルプリンタ。
【請求項４】
前記物品識別情報は、各物品に対応した固有情報を含み、
前記制御部は、前記固有情報を前記物品配置情報に関連付ける
請求項１〜請求項３の何れか１項に記載のラベルプリンタ。
【請求項５】
前記固有情報は、原材料情報、アレルゲン情報の少なくとも１つである
請求項４に記載のラベルプリンタ。
【請求項６】
前記制御部は、前記キー情報に基き前記固有情報の印刷の有無が設定される
請求項４または請求項５に記載のラベルプリンタ。
【請求項７】
前記制御部は、前記配置情報の一の枠に関連付けされるべき物品識別情報が、他の枠に関連付けられるような前記キー情報が入力された場合、その入力を規制する
請求項１〜請求項６の何れか１項に記載のラベルプリンタ。
【請求項８】
前記制御部により制御される報知部を備え、
前記配置情報の一の枠に関連付けされるべき物品識別情報が、他の枠に関連付けられるような前記キー情報が入力された場合、前記報知部を制御して報知を行う
請求項７に記載のラベルプリンタ。
【請求項９】
前記入力部は、物品が収容されたラベル貼り付け対象物を撮影するカメラを含み、
前記制御部は、前記カメラで撮影された画像から配置情報を生成する
請求項１〜請求項８の何れか１項に記載のラベルプリンタ。
【請求項１０】
ラベルに所定の情報を印刷可能な印刷部と、複数のキーを有しキー情報が入力される入力部とを備えたラベルプリンタの前記入力部による前記キー情報に基づき、前記印刷部により印刷される印刷情報を生成するプログラムであって、
前記キー情報をもとに、複数の枠で仕切られた配置情報を特定するステップと、
ラベル貼り付け対象物に収容される複数種の物品のうち前記配置情報の各枠に配置される物品識別情報を特定するステップと、
前記配置情報の各枠に、対応する前記物品識別情報を関連付けた物品配置情報を印刷情報として生成するステップと
を備えるプログラム。
【請求項１１】
ラベルプリンタにより印刷されるラベルであって、
複数の枠で仕切られた配置情報と、
ラベル貼り付け対象物に収容される複数種の物品のうち前記配置情報の各枠に対応する物品識別情報が印刷される
ラベル。
【発明の詳細な説明】
【技術分野】
【０００１】
本発明は、物品に関連する各種情報をラベルに印刷するラベルプリンタ、ラベルプリンタで実行されるプログラム及びラベルプリンタで発行されるラベルに関する。
【背景技術】
【０００２】
ラベルプリンタは、例えば、賞味期限、消費期限等の情報をラベルに印刷して期限ラベルを発行する用途で用いられる。
【０００３】
このようなラベルプリンタとして、異なる食品を１つの梱包箱に収容したときに、梱包箱に収容された食品の内、最短の賞味期限を算出し、ラベルに印刷して梱包箱の外側に貼れるようにした技術が提案されている（例えば、特許文献１参照）。
【先行技術文献】
【特許文献】
【０００４】
【特許文献１】特許第５１１３６０４号公報
【発明の概要】
【発明が解決しようとする課題】
【０００５】
しかし、個別包装されず形状が似た食品が複数種類混在して梱包箱に収容されている場合、購入者は、食品の外観から梱包箱に収容された食品の識別ができない場合がある。このような場合、意図しない食品を取り分けてしまう可能性がある。また、食品ごとに賞味期限が異なる場合、食品が識別できなければ、賞味期限が把握することは困難になる。
【０００６】
また、個別包装されず形状が似た食品が複数種類混在して梱包箱に収容されている場合、梱包箱の外側に貼られたラベルからでは、食品の原材料ごとに異なる情報である、アレルゲン情報等の把握も困難になる。
【０００７】
本発明は、このような課題を解決するためなされたもので、梱包箱等のラベル貼り付け対象物内における物品の配置を認識可能としたラベルプリンタ、物品の配置を認識可能とする処理を実行するプログラム、物品の配置を認識可能としたラベルを提供することを目的とする。
【課題を解決するための手段】
【０００８】
上述した課題を解決するため、本発明は、ラベルに所定の情報を印刷可能な印刷部と、複数のキーを有し、キー情報が入力される入力部と、入力部により入力されたキー情報をもとに、ラベルに印刷すべき印刷情報を生成し、印刷情報をラベルに印刷するように印刷部を制御する制御部とを備え、制御部は、キー情報をもとに、複数の枠で仕切られた配置情報を特定するとともに、ラベル貼り付け対象物に収容される複数種の物品のうち配置情報の各枠に配置される物品識別情報を特定し、配置情報の各枠に、対応する物品識別情報を関連付けた物品配置情報を印刷情報として生成するラベルプリンタである。
【０００９】
また、本発明は、ラベルに所定の情報を印刷可能な印刷部と、記憶部と、複数のキーを有し、キー情報が入力される入力部と、入力部により入力されたキー情報をもとに、ラベルに印刷すべき印刷情報を生成し、印刷情報を前記ラベルに印刷するように印刷部を制御する制御部とを備え、記憶部には、複数の枠で仕切られた配置情報と、ラベル貼り付け対象物に収容される複数種の物品のうち配置情報の各枠に配置される物品識別情報が記憶され、制御部は、キー情報をもとに、複数の枠で仕切られた配置情報を特定するとともに、ラベル貼り付け対象物に収容される複数種の物品のうち配置情報の各枠に配置される物品識別情報を特定し、配置情報の各枠に、対応する物品識別情報を関連付けた物品配置情報を印刷情報として生成するラベルプリンタである。
【００１０】
さらに、本発明は、ラベルに所定の情報を印刷可能な印刷部と、複数のキーを有しキー情報が入力される入力部とを備えたラベルプリンタの入力部によるキー情報に基づき、印刷部により印刷される印刷情報を生成するプログラムであって、キー情報をもとに、複数の枠で仕切られた配置情報を特定するステップと、ラベル貼り付け対象物に収容される複数種の物品のうち配置情報の各枠に配置される物品識別情報を特定するステップと、配置情報の各枠に、対応する物品識別情報を関連付けた物品配置情報を印刷情報として生成するステップとを備えるプログラムである。また、本発明は、ラベルプリンタにより印刷されるラベルであって、複数の枠で仕切られた配置情報と、ラベル貼り付け対象物に収容される複数種の物品のうち配置情報の各枠に対応する物品識別情報が印刷されるラベルである。
【００１１】
本発明では、ラベル貼り付け対象物に収容される複数種の物品の配置を特定する配置情報に、各物品を特定する物品識別情報が関連付けられた物品配置情報が生成され、物品配置情報が印刷された物品配置ラベルが発行される。
【発明の効果】
【００１２】
本発明によれば、個別包装されず形状が似た食品等が梱包箱に収容されている場合でも、物品配置ラベルを見ることで、各物品がどこに収容されているかの配置と、その物品が何であるのか認識することができる。これにより、意図しない物品を選択することを抑制できる。また、物品が食品である場合、個々の食品に賞味期限やアレルゲン情報等が開示されたラベルが貼り付けられていなくとも、食品の配置に応じて賞味期限やアレルゲン情報等を把握することができる。
【図面の簡単な説明】
【００１３】
【図１】本実施の形態のラベルプリンタの一例を示す機能構成図である。
【図２】本実施の形態のラベルプリンタの一例を示す構成図である。
【図３】本実施の形態のラベルプリンタの一例を示す外観斜視図である。
【図４Ａ】物品配置ラベルの一例を示す説明図である。
【図４Ｂ】物品の配置の一例を示す模式図である。
【図５Ａ】物品配置ラベルの一例を示す説明図である。
【図５Ｂ】物品の配置の一例を示す模式図である。
【図６Ａ】物品配置ラベルの一例を示す説明図である。
【図６Ｂ】物品の配置の一例を示す模式図である。
【図７Ａ】配置情報の選択、入力例を示す説明図である。
【図７Ｂ】配置情報の選択、入力例を示す説明図である。
【図７Ｃ】配置情報の選択、入力例を示す説明図である。
【図７Ｄ】配置情報の選択、入力例を示す説明図である。
【図８Ａ】物品識別情報の選択、入力例を示す説明図である。
【図８Ｂ】物品識別情報の選択、入力例を示す説明図である。
【図９Ａ】物品識別情報の選択、入力例を示す説明図である。
【図９Ｂ】物品識別情報の選択、入力例を示す説明図である。
【図９Ｃ】物品識別情報の選択、入力例を示す説明図である。
【図１０Ａ】個数情報の選択、入力例を示す説明図である。
【図１０Ｂ】個数情報の選択、入力例を示す説明図である。
【図１１】本実施の形態のラベルプリンタの動作の一例を示すフローチャートである。
【図１２】物品配置ラベルの他の例を示す説明図である。
【発明を実施するための形態】
【００１４】
以下、図面を参照して、本発明のラベルプリンタ、プログラム及びラベルの実施の形態について説明する。
【００１５】
＜本実施の形態のラベルプリンタの構成例＞
図１は、本実施の形態のラベルプリンタの一例を示す機能構成図、図２は、本実施の形態のラベルプリンタの一例を示す構成図、図３は、本実施の形態のラベルプリンタの一例を示す外観斜視図である。
【００１６】
ラベルプリンタ１は、図２に示すように、ラベル１０等が貼着された長尺状の台紙１１が巻かれた形態で提供される台紙付きラベル１２が装填される。ラベルプリンタ１は、台紙付きラベル１２に貼着されたラベル１０に印刷を行う印刷ヘッド２０と、印刷ヘッド２０に対向して設けられ、台紙付きラベル１２を搬送するプラテンローラ２１と、プラテンローラ２１を駆動する搬送モータ２１Ｍを備える。また、ラベルプリンタ１は、ラベルの有無、及び、ラベルの先端位置等を検知するラベルセンサ２２と、台紙１１の裏面に印刷されたラベル識別情報を読み取る読取部２３を備える。
【００１７】
印刷ヘッド２０は印刷部の一例で、本例ではサーマルヘッドで構成される。プラテンローラ２１と搬送モータ２１Ｍは搬送部の一例で、台紙付きラベル１２を搬送する。ラベルセンサ２２はラベル検知部の一例で、ラベル１０の先端が所定の位置まで搬送されたことを検知する。ラベルセンサ２２は、例えば発光素子と受光素子とからなるセンサ（透過型センサ）で構成される。読取部２３は、例えば発光素子と受光素子とからなるセンサ（反射型センサ）で構成される。
【００１８】
図４Ａは、物品配置ラベルの一例を示す説明図、図４Ｂは、図４Ａに示す物品配置ラベルで特定される物品の配置の一例を示す模式図である。
【００１９】
物品配置ラベル２００は、図４Ａに示すように、ラベル貼り付け対象物に収容される複数種の物品の配置を特定する配置情報２０１に、各物品を特定する物品識別情報２０２、各物品の個数を特定する個数情報２０３等を関連付けた物品配置情報２０４が印刷される。
【００２０】
配置情報２０１は、梱包箱３００を手前側から見たときに、物品の配置されるおおよその範囲を囲む任意の形状の枠等で構成される。物品識別情報２０２は、物品名を示す文字で構成される。個数情報２０３は、個数を示す数字及び個数の単位を示す文字等で構成される。物品配置情報２０４は、配置情報２０１を構成する枠に対応して、例えば、枠の中に物品識別情報２０２と個数情報２０３が表記できるよう構成される。
【００２１】
複数種の物品を、ラベル貼り付け対象物として１つの梱包箱に収容する場合、例えば、図４Ｂに示すように、３種の物品Ａ、物品Ｂ及び物品Ｃを梱包箱３００に収容する場合、梱包箱３００を手前側から見て上段に物品Ａと物品Ｂの２種類、下段に物品Ｃの１種類を収容する配置が考えられる。
【００２２】
このような場合、物品配置ラベル２００は、図４Ａに示すように、配置情報２０１として物品Ａの配置を示す枠２０１Ａが、上段の一方の側に印刷され、枠２０１Ａに合わせて、本例では、枠２０１Ａの中に、物品識別情報２０２として物品名と、個数情報２０３として個数が印刷される。物品が食品であれば、物品名として食品名、内容物名等が印刷される。物品が工業製品等の部品であれば、部品名等が印刷される。また、配置情報２０１として物品Ｂの配置を示す枠２０１Ｂが、上段の他方の側に印刷され、枠２０１Ｂの中に、物品識別情報２０２として物品名と、個数情報２０３として個数が印刷される。更に、配置情報２０１として物品Ｃの配置を示す枠２０１Ｃが、下段に印刷され、枠２０１Ｃの中に、物品識別情報２０２として物品名と、個数情報２０３として個数が印刷される。
【００２３】
このような物品配置ラベル２００を発行するため、ラベルプリンタ１は、配置情報２０１に物品識別情報２０２及び個数情報２０３等を関連付けた物品配置情報２０４を生成するプログラムを実行し、物品配置情報２０４をラベル１０に印刷する制御部１００を備える。
【００２４】
また、ラベルプリンタ１は、物品配置情報２０４を生成するプログラム、物品配置情報２０４の生成に必要な各種情報等が記憶される記憶部１０１を備える。使用者が物品の複数の配置例の中から所望の配置を選択して物品配置情報２０４を生成できるようにする場合、想定される物品の配置に合わせて複数の配置情報２０１が記憶部１０１に記憶される。また、使用者が物品名を選択して物品配置情報を生成できるようにする場合、物品識別情報２０２として想定される複数の物品名が記憶部１０１に記憶される。
【００２５】
更に、ラベルプリンタ１は、物品配置情報２０４を生成するために必要な情報の入力、物品配置情報２０４を生成する操作、物品配置情報２０４が印刷された物品配置ラベル２００を発行する操作等を受ける入力部２４を備える。また、ラベルプリンタ１は、物品配置情報２０４を生成する操作画面、物品配置ラベル２００を発行する操作画面等が表示される表示部２５を備える。更に、ラベルプリンタ１は、外部の通信ネットワーク、端末装置等と接続される通信部２６と、賞味期限、消費期限を算出するため年月日及び時刻を特定する日時情報を生成する時計部２７を備える。
【００２６】
入力部２４は、文字や数字の入力、及び情報の選択や決定等が行える例えばボタン型のキーボード等の入力装置で構成される。キーボードのボタンをキーとも称す。キーボードのボタンはメカニカルなものに限らない。また、キーの操作で入力された情報をキー情報とも称す。表示部２５は、ディスプレイ等の表示装置で構成される。入力部２４と表示部２５はタッチパネル式のディスプレイで実現されても良い。なお、入力部２４は、図４Ｂに示すように梱包箱３００に収容された物品を撮影し、画像から配置情報２０１を生成するカメラで構成されても良い。また、入力部２４は、配置情報２０１、物品識別情報２０２等が１次元コード、２次元コード等の符号化情報で提供される場合に、符号化情報を読み取るバーコードリーダ等の光学式の読取装置で構成されても良い。通信部２６は、ＢＬＵＥＴＯＯＴＨ（登録商標）、無線ＬＡＮ、赤外線等の既存の無線通信技術等を利用して端末装置と接続し、端末装置との間で情報の入出力を行う。時計部２７は、日時情報として年月日、時刻が設定され、計時動作が実行される。
【００２７】
制御部１００は、ＣＰＵ、ＭＰＵと称されるマイクロプロセッサ等を備える。記憶部１０１は、ＲＡＭ、フラッシュメモリ等の記憶装置で構成される。
【００２８】
図５Ａ、図６Ａは、物品配置ラベルの一例を示す説明図、図５Ｂ、図６Ｂは、図５Ａ、図６Ａに示す物品配置ラベルで特定される物品の配置の一例を示す模式図である。
【００２９】
物品として、外形状は同等で、餡等の内容物が異なる複数種の食品を、１つの梱包箱に収容する場合を考える。例えば、つぶあんが入った食品Ａ１．こしあんが入った食品Ｂ１、白あんが入った食品Ｃ１の３種の食品を梱包箱３００に収容する場合、図５Ｂに示すように、梱包箱３００を手前から見て上段に１個または複数個の食品Ａ１（群）と、１個または複数個の食品Ｂ１（群）を左右に並べて収容し、下段に１個または複数個の食品Ｃ１（群）を収容する配置が考えられる。
【００３０】
このような場合、物品配置ラベル２００は、図５Ａに示すように、配置情報２０１として食品Ａ１の配置を示す枠２０１Ａが、上段の一方の側に印刷され、枠２０１Ａの中に、物品識別情報２０２として物品名（内容物名）と、個数情報２０３として個数が印刷される。また、配置情報２０１として食品Ｂ１の配置を示す枠２０１Ｂが、上段の他方の側に印刷され、枠２０１Ｂの中に、物品識別情報２０２として物品名（内容物名）と、個数情報２０３として個数が印刷される。更に、配置情報２０１として食品Ｃ１の配置を示す枠２０１Ｃが、下段に印刷され、枠２０１Ｃの中に、物品識別情報２０２として物品名（内容物名）と、個数情報２０３として個数が印刷される。
【００３１】
なお、３種の食品を梱包箱３００に収容する場合、梱包箱３００を手前から見て１個または複数個の食品Ａ１（群）と、１個または複数個の食品Ｂ１（群）と、１個または複数個の食品Ｃ１（群）を左右に並べて収容する配置等も考えられる。
【００３２】
また、２種の食品を梱包箱３００に収容する場合、図６Ｂに示すように、梱包箱３００を手前から見て１個または複数個の食品Ａ１（群）と、１個または複数個の食品Ｂ１（群）を左右に並べて収容する配置が考えられる。
【００３３】
このような場合、物品配置ラベル２００は、図６Ａに示すように、配置情報２０１として食品Ａ１の配置を示す枠２０１Ａが、左右の一方の側に印刷され、枠２０１Ａの中に、物品識別情報２０２として物品名（内容物名）と、個数情報２０３として個数が印刷される。また、配置情報２０１として食品Ｂ１の配置を示す枠２０１Ｂが、左右の他方の側に印刷され、枠２０１Ｂの中に、物品識別情報２０２として物品名（内容物名）と、個数情報２０３として個数が印刷される。
【００３４】
なお、２種の食品を梱包箱３００に収容する場合、梱包箱３００を手前から見て上段に１個または複数個の食品Ａ１（群）を収容し、下段に１個または複数個の食品Ｂ１（群）を収容する配置等も考えられる。
【００３５】
図７Ａ、図７Ｂ、図７Ｃ、図７Ｄは、配置情報の選択、入力例を示す説明図である。ラベルプリンタ１は、図５Ｂ、図６Ｂ等で想定される食品（物品）の配置に合わせて複数の配置情報２０１が記憶部１０１に記憶される。制御部１００は、配置情報２０１を選択、入力する処理ステップで、図７Ａに示すように、配置情報２０１が文字で表示された配置情報選択画面２５Ａを、ラベルプリンタ１の表示部２５に表示する。制御部１００は、入力部２４の操作に応じて配置情報２０１を取得する。また、制御部１００は、図７Ｂに示すように、配置情報２０１が画像で表示された配置情報選択画面２５Ｂを、ラベルプリンタ１の表示部２５に表示しても良い。
【００３６】
図１に示す入力部２４が、図７Ｃに示すカメラ２４Ａで構成される場合、使用者等が、カメラ２４Ａで梱包箱３００に入れられた食品（物品）を撮影する。制御部１００は、カメラ２４Ａで撮影された画像を解析し、梱包箱３００に収容された物品の配置に合わせた配置情報２０１を生成する。
【００３７】
また、使用者等が、カメラ２４Ａで梱包箱３００に入れられた食品（物品）を撮影する。制御部１００は、図７Ｄに示すように、カメラ２４Ａで撮影された画像を表示部２５に表示する。表示部２５が入力部を備えたタッチパネルである場合、表示部２５に表示された物品画像４００において、軌跡４０１で示すような範囲をなぞることで、食品Ａ１の配置を入力させる。食品Ｂ１、Ｃ１についても同様である。制御部１００は、表示部２５で入力された各物品の配置から、物品の配置に合わせた配置情報２０１を生成する。
【００３８】
図８Ａ、図８Ｂ、図９Ａ、図９Ｂ、図９Ｃは、物品識別情報の選択、入力例を示す説明図である。ラベルプリンタ１は、図５Ｂ、図６Ｂ等で想定される食品（物品）の配置に合わせて、図８Ｂに示すように、食品を特定する食品名（内容物名）が組み合わせられた複数の物品識別情報２０２が記憶部１０１に記憶される。制御部１００は、物品識別情報２０２を選択、入力する処理ステップで、図８Ａに示すように、配置情報２０１に応じた複数の物品識別情報２０２が表示される物品識別情報選択画面２５Ｃを、ラベルプリンタ１の表示部２５に表示する。制御部１００は、入力部２４の操作に応じて物品識別情報２０２を取得し、配置情報２０１と物品識別情報２０２を関連づける。
【００３９】
または、ラベルプリンタ１は、食品を特定する食品名（内容物名）が物品識別情報２０２として記憶部１０１に記憶される。制御部１００は、物品識別情報２０２を選択、入力する処理ステップで、図９Ａに示すように、配置情報２０１に応じて物品識別情報２０２を入力する場所を選択する物品識別情報入力画面２５Ｄを、ラベルプリンタ１の表示部２５に表示する。
【００４０】
制御部１００は、物品識別情報入力画面２５Ｄで物品識別情報２０２を入力する場所が選択されると、図９Ｂに示すように、物品識別情報２０２を選択する物品識別情報選択画面２５Ｅを、ラベルプリンタ１の表示部２５に表示する。制御部１００は、物品識別情報選択画面２５Ｅで所望の物品識別情報２０２が選択されると、配置情報２０１と物品識別情報２０２を関連づけ、図９Ａに示すように、物品識別情報入力画面２５Ｄで配置情報２０１に合わせて物品識別情報２０２（内容物名）を表示する。なお、制御部１００は、物品識別情報選択画面２５Ｅで選択済みの物品識別情報２０２については、再度の選択を規制して、一の配置情報２０１に関連づけられた物品識別情報２０２を、他の配置情報２０１に関連づける入力を規制する。また、物品識別情報選択画面２５Ｅで選択済みの物品識別情報２０２について、再度の同じ物品識別情報２０２が選択されると、ブザー等の音、表示部２５での表示等により報知しても良い。
【００４１】
または、物品識別情報２０２等が符号化情報５０１で提供される場合、使用者は、図９Ｃに示すように、入力部２４を構成する読取装置２４Ｂで符号化情報５０１を読み取る。制御部１００は、読取装置２４Ｂで読み取った符号化情報５０１から、物品識別情報２０２を取得する。制御部１００は、物品識別情報２０２を取得すると、配置情報２０１と物品識別情報２０２を関連づけ、図９Ａに示すように、物品識別情報入力画面２５Ｄで配置情報２０１に合わせて物品識別情報２０２（内容物名）を表示する。
【００４２】
図１０Ａ、図１０Ｂは、個数情報の選択、入力例を示す説明図である。制御部１００は、個数情報２０３を選択、入力する処理ステップで、図１０Ａに示すように、図５Ｂ、図６Ｂ等で想定される食品（物品）の配置を特定する配置情報２０１に応じて、個数情報２０３を入力する個数情報入力画面２５Ｆを、ラベルプリンタ１の表示部２５に表示する。
【００４３】
制御部１００は、個数情報入力画面２５Ｆで入力部２４の操作により個数が入力されると、配置情報２０１と物品識別情報２０２と個数情報２０３を関連づけて、図５Ａ等に示す物品配置情報２０４を生成する。
【００４４】
図１に示す入力部２４が、図１０Ｂに示すカメラ２４Ａで構成される場合、使用者等が、カメラ２４Ａで梱包箱３００に入れられた食品（物品）を撮影する。制御部１００は、カメラ２４Ａで撮影された画像を解析し、梱包箱３００に収容された物品の配置に合わせて各物品の個数情報２０３を生成する。
【００４５】
カメラ２４Ａは、一般的なデジタルカメラの他に、スマートフォン、タブレットのような携帯端末が備えるデジタルカメラが想定される。
【００４６】
スマートフォンやタブレット等の携帯端末に、予め専用のアプリケーションをインストールしておき、携帯端末側のアプリケーション画像の解析を行い、個数情報２０３を生成し、携帯端末側から個数情報２０３をラベルプリンタ１に送信し、通信部２６で受信する構成を取ることも可能である。
【００４７】
配置情報２０１と物品識別情報２０２と個数情報２０３の選択・入力、及び物品配置情報２０４の生成は、例えば、専用のアプリケーションがインストールされたスマートフォンやタブレット等の携帯端末側で行い、携帯端末側からこれらの情報をラベルプリンタ１に送信し、通信部２６で受信する構成を取ることも可能である。この場合、ラベルプリンタ１における、配置情報２０１と物品識別情報２０２と個数情報２０３の選択・入力、及び物品配置情報２０４を生成するための機能を省略することも可能である。
【００４８】
＜本実施の形態のラベルプリンタの動作例＞
図１１は、本実施の形態のラベルプリンタの動作の一例を示すフローチャートで、各図を参照して、物品配置ラベルを生成するプログラムを実行し、物品配置ラベルを生成、発行する動作について説明する。
【００４９】
制御部１００は、図１１のステップＳＡ１ａ、ＳＡ１ｂ、ＳＡ１ｃ１、ＳＡ１ｃ２で、配置情報の選択、入力の処理ステップを実行する。制御部１００は、ステップＳＡ１ａの処理を実行する場合、図７Ａで説明したように、配置情報２０１が文字で表示された配置情報選択画面２５Ａを、ラベルプリンタ１の表示部２５に表示する。制御部１００は、ステップＳＡ１ｂの処理を実行する場合、図７Ｂで説明したように、配置情報２０１が画像で表示された配置情報選択画面２５Ｂを、ラベルプリンタ１の表示部２５に表示する。
【００５０】
更に、制御部１００は、ステップＳＡ１ｃ１、ステップＳＡ１ｃ２の処理を実行する場合、図７Ｃで説明したように、ステップＳＡ１ｃ１で、使用者等がカメラ２４Ａで梱包箱３００に入れられた食品（物品）を撮影する。制御部１００は、ステップＳＡ１ｃ２で、カメラ２４Ａで撮影された画像を解析し、梱包箱３００に収容された物品の配置に合わせた配置情報２０１を生成する。あるいは、図７Ｄで説明したように、カメラ２４Ａで撮影された画像を表示部２５に表示し、使用者に梱包箱３００に収容された物品の範囲を入力させ、物品の配置に合わせた配置情報２０１を生成する。
【００５１】
制御部１００は、配置情報の選択、入力の処理ステップで、配置情報２０１を生成すると、ステップＳＡ２で、配置情報２０１を記憶部１０１に記憶する。
【００５２】
制御部１００は、ステップＳＡ３ａ、ＳＡ３ｂで、物品識別情報の選択、入力の処理ステップを実行する。制御部１００は、ステップＳＡ３ａの処理を実行する場合、図８Ａで説明したように、配置情報２０１に応じた複数の物品識別情報２０２が表示される物品識別情報選択画面２５Ｃを、ラベルプリンタ１の表示部２５に表示し、使用者に物品識別情報２０２を選択させる。または、図９Ａで説明したように、配置情報２０１に応じて物品識別情報２０２を入力する場所を選択する物品識別情報入力画面２５Ｄを、ラベルプリンタ１の表示部２５に表示し、物品識別情報入力画面２５Ｄで物品識別情報２０２を入力する場所が選択されると、図９Ｂで説明したように、物品識別情報２０２を選択する物品識別情報選択画面２５Ｅを、ラベルプリンタ１の表示部２５に表示し、使用者に物品識別情報２０２を選択させる。
【００５３】
制御部１００は、ステップＳＡ３ｂの処理を実行する場合、図９Ｃに示すように、読取装置２４Ｂで読み取った符号化情報５０１から、物品識別情報２０２を取得する。
【００５４】
制御部１００は、物品識別情報の選択、入力の処理ステップで、物品識別情報２０２を取得すると、ステップＳＡ４で、物品識別情報２０２を記憶部１０１に記憶する。
【００５５】
制御部１００は、ステップＳＡ５ａ、ＳＡ５ｂ１、ＳＡ５ｂ２で、個数情報の選択、入力の処理ステップを実行する。制御部１００は、ステップＳＡ５ａの処理を実行する場合、図１０Ａで説明したように、食品（物品）の配置を特定する配置情報２０１に応じて、個数情報２０３を入力する個数情報入力画面２５Ｆを、ラベルプリンタ１の表示部２５に表示し、使用者に個数情報２０３を入力させる。
【００５６】
制御部１００は、ステップＳＡ５ｂ１、ステップＳＡ５ｂ２の処理を実行する場合、図１０Ｂで説明したように、ステップＳＡ５ｂ１で、使用者等がカメラ２４Ａで梱包箱３００に入れられた食品（物品）を撮影する。制御部１００は、ステップＳＡ５ｂ２で、カメラ２４Ａで撮影された画像を解析し、梱包箱３００に収容された物品の配置に合わせて各物品の個数情報２０３を生成する。
【００５７】
制御部１００は、個数情報の選択、入力の処理ステップで、個数情報２０３を取得すると、ステップＳＡ６で、個数情報２０３を記憶部１０１に記憶する。
【００５８】
制御部１００は、配置情報２０１、物品識別情報２０２及び個数情報２０３を取得すると、ステップＳＡ７で、配置情報２０１と物品識別情報２０２と個数情報２０３を関連づけて、物品配置情報２０４を生成する。制御部１００は、物品配置情報２０４を生成すると、ステップＳＡ８で、物品配置情報２０４を印刷し、図５Ａ、図６Ａ等に示す物品配置ラベル２００を発行する。
【００５９】
図１２は、物品配置ラベルの他の例を示す説明図である。他の例の物品配置ラベル２００Ｂは、配置情報２０１．物品識別情報２０２及び個数情報２０３に加えて、固有情報２０５が関連づけられた物品配置情報２０４が印刷される。固有情報２０５は、食品の原材料情報、アレルゲン情報の少なくとも１つまたは組み合わせである。
【００６０】
固有情報２０５は、配置情報２０１を構成する枠２０１Ａ、２０１Ｂ内に、物品識別情報２０２と対応付けて印刷され、物品配置ラベル２００Ｂを見ることで、梱包箱３００内のどの食品にどのようなアレルゲン物質等が含まれているか、容易かつ確実に認識可能となる。
【００６１】
ラベルプリンタ１は、固有情報２０５が記憶部１０１に記憶される。また、固有情報２０５は、物品識別情報に対応付けて記憶される。制御部１００は、固有情報２０５の出力の有無が設定され、例えば、アレルゲン情報の開示が義務付けられた食品については、当該食品の物品識別情報２０２が選択されると、対応する固有情報を物品配置情報２０４に対応付ける。
【符号の説明】
【００６２】
１・・・ラベルプリンタ、１００・・・制御部、１０１・・・記憶部、２０・・・印刷ヘッド（印刷部）、２１・・・プラテンローラ、２４・・・入力部、２５・・・表示部、２６・・・通信部、２７・・・時計部、２００・・・物品配置ラベル、２０１・・・配置情報、２０２・・・物品識別情報、２０３・・・個数情報、２０４・・・物品配置情報、２０５・・・固有情報
【図１】
2020203434.tif 000003
【図２】
2020203434.tif 000004
【図３】
2020203434.tif 000005
【図４Ａ】
2020203434.tif 000006
【図４Ｂ】
2020203434.tif 000007
【図５Ａ】
2020203434.tif 000008
【図５Ｂ】
2020203434.tif 000009
【図６Ａ】
2020203434.tif 000010
【図６Ｂ】
2020203434.tif 000011
【図７Ａ】
2020203434.tif 000012
【図７Ｂ】
2020203434.tif 000013
【図７Ｃ】
2020203434.tif 000014
【図７Ｄ】
2020203434.tif 000015
【図８Ａ】
2020203434.tif 000016
【図８Ｂ】
2020203434.tif 000017
【図９Ａ】
2020203434.tif 000018
【図９Ｂ】
2020203434.tif 000019
【図９Ｃ】
2020203434.tif 000020
【図１０Ａ】
2020203434.tif 000021
【図１０Ｂ】
2020203434.tif 000022
【図１１】
2020203434.tif 000023
【図１２】
2020203434.tif 000024